(57)【特許請求の範囲】
【請求項１】
把持棒の一端に設けられた払拭体により清掃対象を払拭する清掃用払拭具において、
前記払拭体を把持棒に締止せしめる締止帯を、前記把持棒の一端側にその両端を係止せしめて備え、
前記締止帯は、
一端が両側に止め片を突出せしめたＴ字形状を有し、他端側に１又は複数の係止爪を長手方向に設け、
前記把持棒は、
前記止め片を係止せしめる第１の係止孔と、
該係止孔と所定長離隔した位置に前記係止爪を係止せしめる第２の係止孔とを備えることを特徴とする清掃用払拭具。
【請求項２】
請求項１記載の清掃用払拭具の製造方法であって、
前記締止帯の止め片を前記把持棒の第１の係止孔に係止せしめる過程と、
前記払拭体を前記把持棒と前記締止帯との間に配し、前記締止帯の他端を前記第２の係止孔に挿入する過程と、
前記払拭体を締止すべく前記締止帯の他端を前記第２の係止孔から引出し、前記複数の係止爪の一を前記第２の係止孔に係止する過程とを有することを特徴とする清掃用払拭具の製造方法。
【発明の詳細な説明】
【０００１】
【発明の属する技術分野】
本発明は、例えばトイレ用，風呂用の清掃ブラシ等のように柄の先端部分に払拭具を取付けた構造の清掃用払拭具及びその製造方法に関する。
【０００２】
【従来の技術】
トイレの便器，風呂場の浴槽等を清掃する従来の柄付きブラシは、柄の先端部分に例えば軟質発泡ポリウレタン，合成繊維等で形成された払拭体を取付けた構造になっている。柄を持つことにより、手を濡したり汚したりすることなく清掃箇所を払拭したり磨擦することができる。
【０００３】
【発明が解決しようとする課題】
柄付きブラシの払拭体には種々のタイプのものがあり、例えば軟質発泡ポリウレタン，合成繊維製の不織布等で形成された塊状のもの、又はこれを合成繊維製織物等で覆ったものがある。このような払拭体が柄の先端部分に取付けられているが、ひどい汚れの箇所を清掃するために払拭体を強く押しつけて磨擦した際に払拭体が柄から外れることがある。これを防止するためには、柄付きブラシを製造する際に払拭体を柄に強力に固定する必要があり、製造過程にて余計な時間とコストを要している。
【０００４】
また、柄の先端部分で幅広に形成された一面に、例えばコイアファイバー，合成繊維等の針状繊維を束ねて植設することにより払拭体を形成したものがある。この構造のものは植設された繊維の先端部分で強力に磨擦でき、ひどい汚れを擦り除くことができる。また、強く磨擦しても払拭体が外れる虞もない。しかしながら繊維の植設のために特別な装置が必要であり、手間と時間とを要するという問題があった。
【０００５】
本発明は、かかる事情に鑑みてなされたものであり、簡単な工程で容易に払拭体を把持棒に強力に取付けることができる清掃用払拭具及びその製造方法を提供することを目的とする。
【０００６】
【課題を解決するための手段】
第１発明に係る清掃用払拭具は、把持棒の一端に設けられた払拭体により清掃対象を払拭する清掃用払拭具において、前記払拭体を把持棒に締止せしめる締止帯を、前記把持棒の一端側にその両端を係止せしめて備え、前記締止帯は、一端が両側に止め片を突出せしめたＴ字形状を有し、他端側に１又は複数の係止爪を長手方向に設け、前記把持棒は、前記止め片を係止せしめる第１の係止孔と、該係止孔と所定長離隔した位置に前記係止爪を係止せしめる第２の係止孔とを備えることを特徴とする。
【０００７】
第１発明にあっては、把持棒と、端部を把持棒に係止した締止帯とにより払拭体を挟持し、締止帯を引き締めることにより払拭部の把持棒への固定を強化している。
【０００９】
また、第１の係止孔に締止帯の止め片が係止され、把持棒と締止帯とにより払拭体を挟持し、締止帯を引締めて第２の係止孔に係止爪を係止してあるので、払拭体の把持棒への固定が容易に強化される。また、係止爪を複数備える場合には、第２の係止孔に係止せしめる係止爪を選択することにより、払拭体の締止強度が調整される。
【００１０】
第２発明に係る清掃用払拭具の製造方法は、第１発明の清掃用払拭具の製造方法であって、前記締止帯の止め片を前記把持棒の第１の係止孔に係止せしめる過程と、前記払拭体を前記把持棒と前記締止帯との間に配し、前記締止帯の他端を前記第２の係止孔に挿入する過程と、前記払拭体を締止すべく前記締止帯の他端を前記第２の係止孔から引出し、前記複数の係止爪の一を前記第２の係止孔に係止する過程とを有することを特徴とする。
【００１１】
第２発明にあっては、第１の係止孔に締止帯の止め片を係止し、把持棒と締止帯とにより払拭体を挟持した後に、締止帯を引締めることにより第２の係止孔に係止爪を係止するので、払拭体の把持棒への固定を簡単に強化できる。また、係止爪を複数備える場合には、第２の係止孔に係止せしめる係止爪を締止帯の引締め加減で選択することにより、払拭体の締止強度を調整できる。
【００１２】
【発明の実施の形態】
以下、本発明をその実施の形態を示す図面に基づき具体的に説明する。
図１は、本発明に係る柄付きブラシの構造を示す斜視図である。図に示すように柄付きブラシは把持棒１と、その先端に取付けられた払拭体２と、該払拭体２を把持棒１との間で挟持し、固定する締止帯３とを備えて構成されており、トイレ清掃用のブラシとして用いられる。図２は払拭体を除いた柄付きブラシの構造を示す斜視図であり、図３は図２に示す柄付きブラシが有する部品の分解斜視図である。また、図４は把持棒の構造を示す縦断面図であり、図５は把持棒の一端側の構造を示す拡大横断面図である。
【００１３】
図２及び図３に示すように、把持棒１は、一端側が略四角柱状、他端側が円柱状のを有する棒状の柄１１の他端側に、掛け対象物に掛止可能な掛け具１２を取付けて構成してある。把持棒１の前記一端寄りでは中途から先端までを僅かに下側に屈曲せしめ、先端面には前記第１の係止孔である係止口１３が幅方向に所定寸法を有して開口されている。図３，図４及び図５に示すように、把持棒１の先端は、長さ方向に沿う両側壁１３ｂ，１３ｂと底面１３ａとが係止口１３よりも先端側に突出した態様で形成されており、底面１３ａは両側壁１３ｂ，１３ｂよりも所定長さだけ短く形成されている。図５に示すように、両側壁１３ｂの厚みは把持棒１の厚みよりも厚く形成されており、係止口１３の内両側には厚み差分の幅寸法の係止面１３ｃ，１３ｃが形成されている。
【００１４】
また、把持棒１には先端部から長さ方向に所定長離隔した位置に、第２の係止孔１４が上下面を貫通する態様で設けられている。係止孔１４は、上下方向略中央に止め台１４ａを設けてこれより上側の開口部が略円形状を、下側の開口部が略半円状を有して形成され、下側と上側の開口部は上下に貫通している。以上の如き構造の柄１１及び掛け具１２はいずれも合成樹脂製である。
【００１５】
また図４に示すように、柄１１は軽量化のために、一端側では先端部及び係止孔１４の周囲を除いて底面が形成されず、略中央部では補強のために円柱状に、他端側では無底円筒形状に形成されている。また、他端側の内法は、端部に近いほど大寸法となる僅かなテーパを有して形成されている。
【００１６】
掛け具１２は、一側に掛け対象物に掛け止めするための鉤形状のフック部１２ｂを有し、他側に略円環状の嵌め入れ部１２ａを備えている。嵌め入れ部１２ａの外径は柄１１の他端部の内法と略同寸法を有し、嵌め入れ部１２ａを柄１１の他端部に挿入することにより嵌め止めされる。
【００１７】
また締止帯３は可塑性を有する合成樹脂製であり、係止孔１４の下側の開口部の寸法よりも若干小さい厚み寸法及び幅寸法を有する。図３に示すように、締止帯３の一端部は、幅方向両側に止め片３１，３１を突出せしめたＴ形状を有している。止め片３１，３１を形成した先端部分の幅寸法は係止口１３の幅寸法よりも大きく、柄１１の内法幅寸法よりも小さく形成されている。また、締止帯３の他端側では表面又は裏面に係止爪３２，３２…が長手方向に複数突設され、断面視で鋸歯形状を有している。係止爪３２は締止帯３の一端を向く傾斜面と他端を向く傾斜面とを有しており、係止爪３２の形成面に対してなす内角が前記他端側では鋭角に、一端側では直角又は鈍角に形成されている。また係止爪３２，３２…の突出寸法は、係止孔１４の下側開口部の長さ寸法よりも大きく、止め台１４ａの長さ寸法よりも小さく形成されている。この形状により、係止爪３２，３２…は係止孔１４に係止可能である。
【００１８】
図６は締止帯及び蓋具を柄に取付けた状態の縦断面図である。締止帯３は素材弾性力を利用して一端側が係止口１３に無理嵌めされ、止め片３１，３１を係止面１３ｃ，１３ｃに当接せしめて抜け止めされている。締止帯３は底面１３ａの先端面に当接して折曲され、側面１３ｂ，１３ｂの先端面と面一になっている。また締止帯３の他端は係止孔１４に下側から挿入されており、係止爪３２が止め台１４ａに当接して締止帯３の下方向への移動を止めている。
【００１９】
また、蓋具４は合成樹脂製であり、係止孔１４の上側の開口部と略同寸法及び同形状の円板部の裏面から一対の足部４ａ，４ａを突出せしめて一体成形されており、足部４ａ，４ａの先端には外側に突出する爪が夫々形成されている。図６に示すように、蓋具４が係止孔１４の上側開口部に嵌入されたとき、足部４ａ，４ａが係止孔１４の側面を押圧して蓋具４を係止孔１４から抜け難くしている。
【００２０】
図１に示すように、払拭体２は合成繊維製の所定長さの太糸を複数本長さ方向を揃えて形成してある。太糸の長さ方向が柄１１と略直交する向きに払拭体２を配し、払拭体２の長さ方向略中央部分を柄１１と締止帯３とで挟持して、締止帯３にて締止してある。各太糸は締止部分を中心に周囲に向かって先端を延ばし、柄１１の先端部は払拭体２で覆われている。
【００２１】
図７，図８及び図９は、夫々、本発明の柄付きブラシの製造過程を示す斜視図である。図７に示すように、まず、締止帯３の先端を柄１１の係止口１３に嵌め入れ、止め片３１，３１で係止せしめる。このとき、係止爪３２，３２が柄１１と対反する向きに突出するように締止帯３を係止する。
【００２２】
次に、図８に示すように払拭体２を柄１１の下側で略直交せしめて配する。締止帯３を、柄１１の先端を中心に回動せしめ、払拭体２に下側から当接せしめて柄１１と締止帯３とで払拭体２を挟持する。そして、締止帯３の先端を柄１１の係止孔１４に挿入して貫通せしめ、係止孔１４から突出した先端部分を上方向に引き上げる。このとき、払拭体２は締止帯３により引締められ、締止帯３に形成された係止爪３２は、係止孔１４の下側の開口部を通過した後に止め台１４ａにて係止される。これにより締止帯３の下方向への移動が禁止され、払拭体２の締止が緩むことがない。
【００２３】
さらに締止帯３の先端部分を上方向に引き上げると、次の係止爪３２が下側の開口部を通過して止め台１４ａにて係止される。可能な限り先端部分を引上げ、止め台１４ａにて係止された係止爪３２から先端までの部分をニッパ等を用いて切除する。以上の如く、締止帯３によって払拭体２を締止固定する。その後、図９に示すように蓋具４を係止孔１４に嵌入し、払拭体２の糸先が柄１１の先端近傍を覆うべく各太糸を整える。
【００２４】
以上の如く、本実施の形態の柄付きブラシは、係止孔１４に挿通せしめた締止帯３の先端を引出して払拭体２を締めるという簡単な工程で、払拭体２を柄１１に強固に固定できる。
【００２５】
なお、上述した実施の形態では、締止帯３の一端が柄１１の先端面に係止された場合を説明しているが、これに限るものではなく、先端近傍に係止してあれば良い。また上述した実施の形態では、第１及び第２の係止孔は柄の長さ方向に所定長離隔して設けてあるが、これに限るものではなく、柄の長さ方向に交わる方向に離隔して設けてあっても良い。この場合は、払拭体は柄の長さ方向に太糸の長手方向を揃えて配する。
【００２６】
また、上述した実施の形態では、締止帯３は帯形状を有しているが、これに限るものではなく、紐状，棒状等であっても良く、また可塑性を有していれば合成樹脂製に限らない。
さらに、払拭体２は合成繊維製に限らず、天然繊維，半合成繊維製等であっても良い。
【００２７】
さらにまた、上述した実施の形態の製造過程では、柄１１の下側に払拭体２を配し、係止孔１４を通した締止帯３の先端を上方向に引上げる場合を説明しているが、これに限るものではなく、製造時の柄１１の配置の向きはいずれでも良い。従って、締止帯３の引上げ方向はどの方向であっても良く、柄１１と締止帯３との間隔を狭め、払拭体２を締めることができれば良い。
【００２８】
さらにまた、上述した蓋具４は係止孔１４の上部を封止するためのものであり、これを装着しない場合でも上述した実施の形態と同様の効果が得られる。
さらにまた、上述した実施の形態ではトイレ清掃用ブラシを説明しているが、これに限るものではなく、風呂清掃用ブラシ，室内用ハタキ等にも適用できる。
【００２９】
【発明の効果】
以上のように、本発明においては、係止孔に挿通せしめた締止帯の端部を引出して払拭体を締止するという簡単な操作で、容易に、払拭体を把持棒に強力に固定することができる等、本発明は優れた効果を奏する。
【図面の簡単な説明】
【図１】本発明に係る柄付きブラシの構造を示す斜視図である。
【図２】払拭体を除いた柄付きブラシの構造を示す斜視図である。
【図３】図２に示す柄付きブラシが有する部品の分解斜視図である。
【図４】把持棒の構造を示す縦断面図である。
【図５】把持棒の先端部分の構造を示す拡大横断面図である。
【図６】締止帯及び蓋具を柄に取付けた状態の縦断面図である。
【図７】本発明の柄付きブラシの製造過程を示す斜視図である。
【図８】本発明の柄付きブラシの製造過程を示す斜視図である。
【図９】本発明の柄付きブラシの製造過程を示す斜視図である。
【符号の説明】
１  把持棒
２  払拭体
３  締止帯
４  蓋体
１１  柄
１２  掛け具
１３  係止口
１４  係止孔
３１  止め片
３２  係止爪
【図１】
0003790973.tif 000002
【図２】
0003790973.tif 000003
【図３】
0003790973.tif 000004
【図４】
0003790973.tif 000005
【図５】
0003790973.tif 000006
【図６】
0003790973.tif 000007
【図７】
0003790973.tif 000008
【図８】
0003790973.tif 000009
【図９】
0003790973.tif 000010